(57)【要約】【課題】  開き戸、引き戸及びシャッターなどのそれぞれが有する隙間を一つの部材で塞ぎ、隙間風を防止する隙間風防止具を得ること。【解決手段】  長手方向に連続する可動隙間風防止片及び貼着体を有し、該可動隙間風防止片を弾発変形部材で形成し、且つ貼着体を覆うように略鋭角で、膨出部の先端が貼着体の先端より前に突出連結して形成し、また可動隙間風防止片の先端側に膨出部を形成すると共に膨出部から基端部の間を波状の緩衝壁部を形成すること、また貼着体の所定位置に長手方向に連続する切り取り用のガイド溝を設け、さらに可動隙間風防止片の基端側と貼着体の基端側で連結する係止部を設けている。【選択図】  図１
2010059746.tif 000002
【特許請求の範囲】
【請求項１】
長手方向に連続する可動隙間風防止片及び貼着体を有し、該可動隙間風防止片は少なくとも弾発変形部材で形成され、且つ貼着体を覆うように、該可動隙間風防止片の基端側と貼着体の基端側を略鋭角を持って連結して形成し、また可動隙間風防止片の先端側に膨出部を形成すると共に膨出部から基端部の間を波状の緩衝壁部を形成し、また膨出部の先端が貼着体の先端より前に突出させて形成したことを特徴とする隙間風防止具。
【請求項２】
貼着体の所定位置に長手方向に連続する切り取り用のガイド溝を設けたことを特徴とする請求項１記載の隙間風防止具。
【請求項３】
可動隙間風防止片の基端側と貼着体の基端側で連結する係止部を設けたことを特徴とする請求項１又は請求項２記載の隙間風防止具。
【発明の詳細な説明】
【技術分野】
【０００１】
本発明は、既設の扉、窓、襖などの開き戸及び引き戸などの各枠の上下左右にできる隙間及びシャッターの接地面との隙間に使用する隙間風防止具に関する。
【背景技術】
【０００２】
従来、隙間風防止用としてスポンジをテープ状にし、裏面に粘着部を設けた隙間テープが一般的に知られ多く市販されて用いられ、用途により各種厚み又は発砲量などを変え、またスポンジに変えて基材に植毛させた物も市販され良く知られている。
【０００３】
また、中空のゴム製で略かまぼこ状に形成された戸当たり用で、戸当たり音防止及び隙間風防止として市販され、ドアと戸当たりの間で使用されている。
【０００４】
さらに、隙間風防止に関する先願として、ガラスドアの収まり寸法より側面の一辺を短く形成し、その隙間部分に、軟性の透明合成樹脂製の保護縁をスライド可能に形成して、手の挟み防止と隙間風を防ぐとするガラスドアの保護縁が提案されている。（例えば、特許文献１参照）
【０００５】
加えて、他の先願として、支柱及び建具当接面に短繊維４を植毛してその短繊維４で隙間をなくす引違建具及び戸当たりが提案されている。（例えば、特許文献２参照）
【０００６】
さらに加えて、また他の先願として、二枚一対からなる引き戸の縦框間の隙間を通して流動する隙間風をその隙間の縦框に細溝を形成しそこに立毛状のシール手段を設けて隙間風を防ぐとする引き戸の隙間風防止構造が提案されている。（例えば、特許文献３参照）
【０００７】
【特許文献１】実開平６−１６５０６号公報
【特許文献２】実開平６−６６８６号公報
【特許文献３】実開２００２−３０８７４号公報
【発明の開示】
【発明が解決しようとする課題】
【０００８】
上述した隙間風防止用として認知され市販される隙間テープにおいて、スポンジ又は植毛されたテープ状で、戸と柱又は戸当たりの間で、該隙間を埋めるように挟まれ、当接狭持されて一般的に多く使用されるが、その戸又は柱などが変形して傾きが生じ、それに対応して隙間テープとの間にも隙間が発生し、またその傾きの上下の隙間の差の大きさ対応して隙間テープの厚さを厚くすることによって、鍵が掛けられなくなる欠点もあり、さらに隙間の差の度合いにより隙間テープの厚さをそれぞれ用意しなくてはならず、製造においても用途に合わせ、厚さ及び柔らかさの種類を用意しなくてはならず、多くの種類を製造する必要があり、在庫などコスト高となっており、これらの改善策が望まれていた。
【０００９】
そして、その隙間テープは、戸当たりとの隙間でしか使用できず、例えば、ドアの上下の隙間には効果が少なく、また引き戸のスライドする上下の隙間及びそのすれ違う枠と枠の隙間には使用できず、単体の隙間風防止具で多用途に使用できる物が望まれていた。
【００１０】
また、特許文献１のガラスドアの保護縁は、ガラスドアの側面の一辺に軟性の透明合成樹脂製の保護縁を形成し、その保護縁により戸当たりとの隙間部分を塞ぐもので、上述隙間テープと略同様の使用で、同様の改善が求められ、特にこれは特定の用途に使用するもので、汎用性がなく、また既設の物には適用できず、既設の物など多用途に使用できる物が望まれていた。
【００１１】
さらに、従来の特許文献２の引違建具及び戸当たりは、引違建具の支柱当接面に短繊維を植毛した構造で、その建具そのものに適用した先行技術で、既設の物に簡易に適用できず、既設の物など多用途に使用できる物が望まれていた。
【００１２】
さらに、従来の特許文献３の引き戸の隙間風防止構造は、二枚一対からなる引き戸の縦框の隙間を通して流動する隙間風を立毛状のシール手段により防止する特定の部分に使用する構造が記載され、上述の文献２と同様で、建具そのものに適用した先行技術であり、既設の物など多用途に使用できる物が望まれていた。
【課題を解決するための手段】
【００１３】
そこで本発明は、上記課題を有効に達成するための第一の解決手段として、長手方向に連続する可動隙間風防止片及び貼着体を有し、該可動隙間風防止片は少なくとも弾発変形部材で形成され、且つ貼着体を覆うように、該可動隙間風防止片の基端側と貼着体の基端側を略鋭角を持って連結して形成し、また可動隙間風防止片の先端側に膨出部を形成すると共に膨出部から基端部の間を波状の緩衝壁部を形成し、また膨出部の先端が貼着体の先端より前に突出させて形成する事としているので、
既設の扉、窓、襖などの開き戸及び引き戸などの各枠の上下左右にできる隙間及びシャッターの接地面との隙間に対して覆うように塞ぎ、また戸当たりの当接の緩衝材として作用する。
【００１４】
また、第二の解決手段として、貼着体の所定位置に長手方向に連続する切り取り用のガイド溝を設ける事としているので、
隙間の大小に対応する貼着場所を考慮して、貼着体のガイド溝から切り取り、隙間風防止具を既設の物に切り取り貼着する。
【００１５】
また、第三の解決手段として、可動隙間風防止片の基端側と貼着体の基端側で連結する係止部を設ける事としているので、
隙間の大小に対応すると共にデザイン性を考慮して、対象物に対応して取り替えする。
【発明の効果】
【００１６】
本発明は、上述した手段によって有効な効果が得られるようにしたもので、第一の発明は、長手方向に連続する可動隙間風防止片及び貼着体を有し、該可動隙間風防止片は少なくとも弾発変形部材で形成され、且つ貼着体を覆うように、該可動隙間風防止片の基端側と貼着体の基端側を略鋭角を持って連結して形成し、また可動隙間風防止片の先端側に膨出部を形成すると共に膨出部から基端部の間を波状の緩衝壁部を形成し、また膨出部の先端が貼着体の先端より前に突出させて形成しているので、
既設の扉、窓、襖などの開き戸及び引き戸などの各枠の上下左右にできる隙間及びシャッターの接地面との各隙間を覆うように塞ぎ、本発明単体の隙間風防止具の貼着場所を変えるだけで開き戸、引き戸及びシャッターと多くの物にできる隙間に対して、新たに取り替えることなく、既設の物にそのまま使用でき、また最良の貼着場所を選べることで、各隙間の状態又は室内のデザイン性も考慮できる隙間風防止具として使用でき、その隙間風を防止することで、冷暖房の効率を上げ、よって省エネにも貢献でき、そして近年、提唱されるＣＯ2削減、エコ対策として貢献できる。
【００１７】
また、隙間風防止具の貼着場所により戸当たりの緩衝材として、閉めたときの当接音防止と隙間風防止と両立させて使用でき、さらに風などにより障子、雨戸などが揺れて発生する、がたつき音も緩衝壁部で緩やかに弾発付勢することで防げ、そして可動隙間風防止片及び膨出部で隙間を塞いでいるので、不用意の指つめ防止ともなり、たとえ無理に指つめ状態にしも膨出部の弾性で大きな怪我に至ることも防止できる。
【００１８】
さらに、第二の発明は、貼着体の所定位置に長手方向に連続する切り取り用のガイド溝を設けるとしているので、
扉及び柱など変形してその上下左右の差による隙間が大きくなると、貼着体の先端側をガイド溝に沿って切り取り、貼着体の貼着位置を前側にずらし、より多くの隙間を覆うようにずらして使用することができ、特に木製の扉と柱の関係において、古くなると大きく変形（一例として、開き戸及び引き戸が開閉できる状態での隙間では、上部で一ミリ以下と下部で１２ミリの隙間が確認された。）した物でも対応でき、具体的に膨出部の径を６ミリとし、また貼着体の幅を１５ミリとして貼着体の先端からガイド溝の位置までを約半分の７ミリとしてその７ミリを切り取るとすると、その７ミリと膨出部の径の６ミリを足した寸法１３ミリが、変形する隙間を覆う量として確保でき、またその覆う量を多く取ることで、隙間に指を入れにくくなり小さな子供の指詰め、また不用意の指詰め防止となる。
【００１９】
さらに、第三の発明は、可動隙間風防止片の基端側と貼着体の基端側で連結する係止部を設けるとしているので、
上述第二の発明の隙間を覆う量より遥かに多くの隙間であるときは、より幅のある可動隙間風防止片に容易に取り替え変更でき、また好みにより可動隙間風防止片を木目調など、部屋の模様替えに合わせて、貼着体を剥ぎ取ることなく容易に変更でき、よりデザイン性を追求できる。
よって、これらのことから本発明は、実用上著大な効果を奏する。
【発明を実施するための最良の形態】
【００２０】
既設の扉、窓、襖などの開き戸及び引き戸などの各枠の上下左右にできる隙間及びシャッターの接地面との隙間で、それら場所及び隙間の量に合わせて貼着場所を選択して隙間風防止具を貼着することで、隙間の生じる場所に関係なく、本発明単体で対応でき、またデザイン性も追求できる隙間風防止具を実現させた。
【実施例】
【００２１】
本発明の実施例を図面に基づいて説明すると、図１において、１は隙間風防止具で、該隙間風防止具１は、長手方向に連続する可動隙間風防止片２及び貼着体３を有し、該可動隙間風防止片２は弾発変形部材で形成され、貼着体３は下面側に両面テープなどの粘着体４を設けている。
【００２２】
そこで、その可動隙間風防止片２は、その先端側にチューブ状の膨出部５を貼着体３の先端より突出する位置に設け、その基端側を該貼着体３の基端側と連結一体とし、上述膨出部５からその基端側の間を波状の緩衝壁部６を貼着体３に対して若干鋭角となるように形成している。
【００２３】
また、該貼着体３は、長板状で切り取りのガイドとなるＶ溝部７を所定位置（図１では先端から略１／３程度の位置）に長手方向に連続して形成し、該Ｖ溝部７は、使用場所に合わせて貼着体３の幅を狭くするためのもので、さらに図２に示す他の実施例では、該Ｖ溝部７、７ａの二カ所、先端から略１／３と、略中央部近傍とに形成している。
【００２４】
しかして、図３に示す開き戸８（ドアなど）のドアノブ９側の縦框１０の隙間１１に使用する場合、隙間風防止具１の貼着体３の先端と縦框１０先端を合わせると共に膨出部５を柱１２に当接させ、その状態で縦框１０に沿って粘着体４で貼着体３を貼着することで、該隙間１１を膨出部５と可動隙間風防止片２で塞ぎ、可動隙間風防止片２の緩衝壁部６で弾発付勢してその状態を保持している。
【００２５】
また、図４に示す同様の開き戸８であって隙間１１ａが多い場合、図１又は図２の貼着体３のＶ溝部７から貼着体３先端部を切り取り、上述と同様、貼着体３の先端と縦框１０先端を合わせて該縦框１０に沿って粘着体４にて貼着して、多い隙間１１ａを塞ぎ、緩衝壁部６で弾発付勢してその状態を保持して使用する。
【００２６】
なお、上述使用例は、隙間風防止具１を開き戸８側に貼着しているが、戸当たり１３に貼着、つまり開き戸８と直交する戸当たり１３側に貼着する場合と、隙間１１が小さく、上下に隙間の差が少ないときは、開き戸８の並びの外側に位置する柱１２側に貼着することでも同じように隙間１１を塞ぐことができる。
【００２７】
さらに、図５に示す開き戸８のヒンジ部側縦框１４の隙間１１に使用する場合、開き戸８を閉めたとき、隙間風防止具１の膨出部５が柱１２に当接する位置に隙間風防止具１の貼着体３により貼着し、また図示のように隙間風防止具１の膨出部５を当接側にずらして大きく角度を持って塞ぐようにすると、開き戸８を閉めるときに隙間風防止具１及び膨出部５に余裕が生まれ、その隙間の中まで指を入れにくくなるので、小さい子供の指詰め、また不用意の指詰め防止にも有効となる。
なお、上述実施例のように、開き戸８側でなく柱１２側に使用しても同じように隙間１１を塞ぐことができる。
【００２８】
加えて、図６に示す開き戸８の上桟１５側の隙間１１に使用する場合、入り口上部梁１６の下面側で開き戸８を閉めたとき、隙間風防止具１の膨出部５が開き戸８に当接する位置に貼着体３により隙間風防止具１を貼着して使用する。
なお、上述実施例のように、入り口上部梁１６側でなく開き戸８側の内外どちら側にも使用でき、そして入り口上部梁１６の外側垂直面側に使用しても同じように隙間１１を塞ぐことができる。
【００２９】
さらに加えて、図７に示す開き戸８の下桟１７側の隙間１１に使用する場合、開き戸８を閉めた状態で、隙間風防止具１の膨出部５が入り口土間１８（室内ドアの床側）に当接する位置に貼着体３により隙間風防止具１を貼着する。
【００３０】
なお、図７の実施例は、開き戸８の外側に貼着する例を示し、この場合、雨の吹き降りに対する雨水の浸入を防ぐ効果もあり例示した物であるが、吹き降りに対応する必要のない場合、若しくは室内の場合は、開き戸８のどちら側に使用しても同じように隙間１１を塞ぐことができ、また寒冷地の場合は、内外両方に使用することで、より効果的な隙間風防止として使用できる。  
【００３１】
そして、図８に示すように上述各実施例で示したように、開き戸８（ドア）の外側から上下左右の隙間１１，１１ａの全面を塞いだ状態を示し、これに対して、柱１２側、入り口上部梁１６側に使用した場合とは若干異なる。
【００３２】
しかして、図９に示す引き戸１９の戸当たり２０側の隙間１１に使用する場合、引き戸１９を引き手２１により閉めたとき、隙間風防止具１の膨出部５が柱１２の戸当たり２０に当接するように引き戸１９の最適位置で上桟から下桟まで貼着する。
なお、上述実施例のように、引き戸１９側でなく柱１２側に使用しても同じように隙間１１を塞ぐことができる。
【００３３】
また、図１０に示す障子２２（引き戸１９）の上桟側に隙間風防止具１を使用する場合において、鴨居２３の下面側２４に隙間風防止具１の膨出部５が障子２２の上桟１５ａに当接する位置で貼着体３により隙間風防止具１を貼着することで、隙間１１を塞ぐことができる。
【００３４】
そして、鴨居２３の下面側２４に貼着できない内側では、図示するように、鴨居２３の側面側２５と障子２２の上桟１５ａが同一面上となる側面側２５に貼着する、つまり隙間風防止具１の膨出部５が隙間１１を越えて障子２２の上桟１５ａに当接する位置に、貼着体３により隙間風防止具１を貼着することで、隙間１１を塞ぐことができる。
なお、障子２２の下側では、敷居と常に接し、摺動しているので隙間風防止具１を使用する必要ないが、隙間風がある場合は、障子２２側の下桟に上述と同様、隙間風防止具１を貼着することで防げる。
【００３５】
さらに、図１１に示す引き戸１９、１９の縦框２６、２６間のすれ違う隙間１１に使用する場合において、縦框２６、２６の摺動方向前面の端面側に隙間風防止具１の貼着体３で貼着すると共に対面する側の縦框２６との隙間１１を膨出部５と可動隙間風防止片２で塞ぐように貼着する。
【００３６】
しかして、シャッター２７の先端部２８と入り口土間１８との間の隙間１１に使用する場合において、図１２は、シャッター２７の先端部２８の下面より外側に隙間風防止具１の膨出部５を突出させて貼着する場合と、先端部２８の下面より膨出部５を内側方向に貼着する場合の二例を示し、まず、先端部２８の下面より外側に膨出部５を突出させて貼着する場合は、シャッター２７の室内側で入り口土間１８との間の隙間１１が比較的小さい場合に適し、それに対し、先端部２８の下面より膨出部５を内側方向に貼着する場合は、シャッター２７の室外側で、入り口土間１８の隙間１１が比較的大きい場合に適している。
【００３７】
なお、室内側及び室外側で使用する例示は、各隙間１１の程度及び室内側、室外側に適した条件で貼着場所、位置、膨出部５の突出量、向き、また一カ所若しくは内外二カ所等、適宜変更して使用し、隙間風と雨の吹き降りによる雨水の浸入を防ぐように使用し、このように上述各実施例から、あらゆる状況に対応して使用でき、また最良の場所を選べることで、各隙間の状態又は室内のデザイン性も考慮できる隙間風防止具として使用できる。  
【００３８】
しかして、図１３に示す隙間風防止具１のその他の実施例において、可動隙間風防止片２と貼着体３を着脱可能に連結する隙間風防止具１ａを示し、可動隙間風防止片２a
側に凹状係止部２９と貼着体３a側に凸状係止部３０をそれぞれ形成している。
【００３９】
そこで、図１３に示す凹状係止部２９と凸状係止部３０において、可動隙間風防止片２a側の凹状係止部２９は、先端に鉤状の掛止部３１とそれに続く凹部３２を形成し、貼着体３a側の凸状係止部３０は、先端下部に段付き状の掛止部３３と上部に膨出状突起の膨出凸部３４をそれぞれ形成して隙間風防止具１ａとしている。
【００４０】
しかして、隙間風防止具１ａの可動隙間風防止片２aと貼着体３aの連結において、まず、隙間風防止具１ａの凹部３２に、貼着体３aの凸状係止部３０を挿入嵌合させると共に貼着体３aの掛止部３３に、隙間風防止具１ａの掛止部３１を掛止させて連結する。
【００４１】
そこで、隙間風防止具１ａの使用において、上述隙間風防止具１の各実施例と略同様に使用し、新たな使用例として、上述図１０のそれぞれの実施例の引き戸１９に使用した場合、使用によって可動隙間風防止片２aの膨出部５がすり減り、隙間１１，１１ａを塞ぐ効果が薄れたとき、貼着体３aから剥がすことなく、可動隙間風防止片２aを凸状係止部３０から外し新しい物と入れ替え使用する。
【００４２】
また、開き戸８及び引き戸１９など経年変化で各実施例の隙間１１，１１ａが大きくなり隙間を塞ぐ効果が薄れたとき、貼着体３aから剥がすことなく、可動隙間風防止片２aを凸状係止部３０から外し、隙間に対応した新しい物と入れ替え使用する。
【００４３】
さらに、使用する部屋の模様替えに合わせて、ドア、障子、襖などに使用している隙間風防止具１ａの可動隙間風防止片２aを適したデザインに入れ替え、つまり、隙間風防止具１ａの可動隙間風防止片２aに予めデザインされた物、透明、着色、木目模様など貼着体３aから剥がすことなく、適宜、可動隙間風防止片２aを凸状係止部３０から外し、新しいデザインの物と入れ替え使用する。
【００４４】
なお、可動隙間風防止片２，２aの膨出部５をチューブ状としているが、チューブ状にこだわらず、中空でなく中が詰まった物でも使用でき、なお中が詰まった物は、対摩耗性、戸当たり時の対強度性など考慮する物用として使用しても良いが、図示は省略した。
【００４５】
また、可動隙間風防止片２，２aを波状としているが、鋭角の傾斜形状を維持できる強度で弾発変形する物であれば、特に波状には拘らず、またその可動隙間風防止片２，２aの両端の開放部分に柔らかいスポンジ状の端末キャップを嵌合させ、隙間ができないようにしても良いが、図示は省略した。
【図面の簡単な説明】
【００４６】
【図１】本発明の一実施例の斜視図である。
【図２】本発明の他の実施例の側面図である
【図３】本発明の一実施例の開き戸８に使用する状態を示す要部の平面図である。
【図４】本発明の一実施例の開き戸８に使用する状態を示す要部の平面図である。
【図５】本発明の一実施例の開き戸８のヒンジ部に使用する状態を示す要部の平面図である。
【図６】本発明の一実施例の開き戸８上部に使用する状態を示す要部の側面図である。
【図７】本発明の一実施例の開き戸８下部に使用する状態を示す要部の側面図である。
【図８】本発明の一実施例の引き戸戸当たり部に使用する状態を示す要部の平面図である。
【図９】本発明の一実施例の引き戸の上部に使用する状態を示す要部の側面図である。
【図１０】本発明の一実施例の引き戸の重なり部に使用する状態を示す要部の平面図である
【図１１】本発明の一実施例の開き戸に使用する状態を示す正面図である。
【図１２】本発明の一実施例のシャッターに使用する状態を示す要部の側面図である。
【図１３】本発明のその他の実施例の側面図である。
【符号の説明】
【００４７】
１  隙間風防止具
２  可動隙間風防止片
３  貼着体
４  粘着体
５  膨出部
６  緩衝壁部
７  Ｖ溝部
２９  凹状係止部
３０  凸状係止部
【図１】
2010059746.tif 000003
【図２】
2010059746.tif 000004
【図３】
2010059746.tif 000005
【図４】
2010059746.tif 000006
【図５】
2010059746.tif 000007
【図６】
2010059746.tif 000008
【図７】
2010059746.tif 000009
【図８】
2010059746.tif 000010
【図９】
2010059746.tif 000011
【図１０】
2010059746.tif 000012
【図１１】
2010059746.tif 000013
【図１２】
2010059746.tif 000014
【図１３】
2010059746.tif 000015
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
長手方向に連続する可動隙間風防止片及び平面板状の貼着体を有し、
該可動隙間風防止片は、先端側に膨出部を有する少なくとも弾発変形部材で形成し、且つ該可動隙間風防止片が貼着体を覆うように、その基端側と貼着体の基端側に係止部を設けて、着脱可能に略鋭角を持って連結し、また該膨出部から基端部の間を波状の緩衝壁部を形成すると共に該膨出部の先端を貼着体の先端より前に突出させて形成したことを特徴とする隙間風防止具。
【手続補正２】
【補正対象書類名】明細書
【補正対象項目名】全文
【補正方法】変更
【補正の内容】
【発明の詳細な説明】
【技術分野】
【０００１】
本発明は、既設の扉、窓、襖などの開き戸及び引き戸などの各枠の上下左右にできる隙間及びシャッターの接地面との隙間に使用する隙間風防止具に関する。
【背景技術】
【０００２】
従来、隙間風防止用としてスポンジをテープ状にし、裏面に粘着部を設けた隙間テープが一般的に知られ多く市販されて用いられ、用途により各種厚み又は発砲量などを変え、またスポンジに変えて基材に植毛させた物も市販され良く知られている。
【０００３】
また、中空のゴム製で略かまぼこ状に形成された戸当たり用で、戸当たり音防止及び隙間風防止として市販され、ドアと戸当たりの間で使用されている。
【０００４】
さらに、隙間風防止に関する先願として、ガラスドアの収まり寸法より側面の一辺を短く形成し、その隙間部分に、軟性の透明合成樹脂製の保護縁をスライド可能に形成して、手の挟み防止と隙間風を防ぐとするガラスドアの保護縁が提案されている。（例えば、特許文献１参照）
【０００５】
加えて、他の先願として、支柱及び建具当接面に短繊維４を植毛してその短繊維４で隙間をなくす引違建具及び戸当たりが提案されている。（例えば、特許文献２参照）
【０００６】
さらに加えて、また他の先願として、二枚一対からなる引き戸の縦框間の隙間を通して流動する隙間風をその隙間の縦框に細溝を形成しそこに立毛状のシール手段を設けて隙間風を防ぐとする引き戸の隙間風防止構造が提案されている。（例えば、特許文献３参照）
【０００７】
【特許文献１】実開平６−１６５０６号公報
【特許文献２】実開平６−６６８６号公報
【特許文献３】実開２００２−３０８７４号公報
【発明の開示】
【発明が解決しようとする課題】
【０００８】
上述した隙間風防止用として認知され市販される隙間テープにおいて、スポンジ又は植毛されたテープ状で、戸と柱又は戸当たりの間で、該隙間を埋めるように挟まれ、当接狭持されて一般的に多く使用されるが、その戸又は柱などが変形して傾きが生じ、それに対応して隙間テープとの間にも隙間が発生し、またその傾きの上下の隙間の差の大きさ対応して隙間テープの厚さを厚くすることによって、鍵が掛けられなくなる欠点もあり、さらに隙間の差の度合いにより隙間テープの厚さをそれぞれ用意しなくてはならず、製造においても用途に合わせ、厚さ及び柔らかさの種類を用意しなくてはならず、多くの種類を製造する必要があり、在庫などコスト高となっており、これらの改善策が望まれていた。
【０００９】
そして、その隙間テープは、戸当たりとの隙間でしか使用できず、例えば、ドアの上下の隙間には効果が少なく、また引き戸のスライドする上下の隙間及びそのすれ違う枠と枠の隙間には使用できず、単体の隙間風防止具で多用途に使用できる物が望まれていた。
【００１０】
また、特許文献１のガラスドアの保護縁は、ガラスドアの側面の一辺に軟性の透明合成樹脂製の保護縁を形成し、その保護縁により戸当たりとの隙間部分を塞ぐもので、上述隙間テープと略同様の使用で、同様の改善が求められ、特にこれは特定の用途に使用するもので、汎用性がなく、また既設の物には適用できず、既設の物など多用途に使用できる物が望まれていた。
【００１１】
さらに、従来の特許文献２の引違建具及び戸当たりは、引違建具の支柱当接面に短繊維を植毛した構造で、その建具そのものに適用した先行技術で、既設の物に簡易に適用できず、既設の物など多用途に使用できる物が望まれていた。
【００１２】
さらに、従来の特許文献３の引き戸の隙間風防止構造は、二枚一対からなる引き戸の縦框の隙間を通して流動する隙間風を立毛状のシール手段により防止する特定の部分に使用する構造が記載され、上述の文献２と同様で、建具そのものに適用した先行技術であり、既設の物など多用途に使用できる物が望まれていた。
【課題を解決するための手段】
【００１３】
そこで本発明は、上記課題を有効に達成するための解決手段として、長手方向に連続する可動隙間風防止片及び平面板状の貼着体を有し、該可動隙間風防止片は、先端側に膨出部を有する少なくとも弾発変形部材で形成し、且つ該可動隙間風防止片が貼着体を覆うように、その基端側と貼着体の基端側に係止部を設けて、着脱可能に略鋭角を持って連結し、また該膨出部から基端部の間を波状の緩衝壁部を形成すると共に該膨出部の先端を貼着体の先端より前に突出させて形成しているので、
既設の扉、窓、襖などの開き戸及び引き戸などの各枠の上下左右にできる隙間及びシャッターの接地面との隙間に対して覆うように塞ぎ、また戸当たりの当接の緩衝材として作用、また隙間の大小に対応すると共にデザイン性を考慮して、対象物に対応して取り替えする。
【発明の効果】
【００１４】
本発明は、上述した手段によって有効な効果が得られるようにしたもので、本発明は、長手方向に連続する可動隙間風防止片及び平面板状の貼着体を有し、
該可動隙間風防止片は、先端側に膨出部を有する少なくとも弾発変形部材で形成し、且つ該可動隙間風防止片が貼着体を覆うように、その基端側と貼着体の基端側に係止部を設けて、着脱可能に略鋭角を持って連結し、また該膨出部から基端部の間を波状の緩衝壁部を形成すると共に該膨出部の先端を貼着体の先端より前に突出させて形成しているので、
既設の扉、窓、襖などの開き戸及び引き戸などの各枠の上下左右にできる隙間及びシャッターの接地面との各隙間を覆うように塞ぎ、本発明単体の隙間風防止具の貼着場所を変えるだけで開き戸、引き戸及びシャッターと多くの物にできる隙間に対して、新たに取り替えることなく、既設の物にそのまま使用でき、また最良の貼着場所を選べることで、各隙間の状態又は室内のデザイン性も考慮できる隙間風防止具として使用でき、その隙間風を防止することで、冷暖房の効率を上げ、よって省エネにも貢献でき、そして近年、提唱されるＣＯ2削減、エコ対策として貢献できる。
【００１５】
また、隙間風防止具の貼着場所により戸当たりの緩衝材として、閉めたときの当接音防止と隙間風防止と両立させて使用でき、さらに風などにより障子、雨戸などが揺れて発生する、がたつき音も緩衝壁部で緩やかに弾発付勢することで防げ、そして可動隙間風防止片及び膨出部で隙間を塞いでいるので、不用意の指つめ防止ともなり、たとえ無理に指つめ状態にしも膨出部の弾性で大きな怪我に至ることも防止できる。
【００１６】
さらに、係止部から着脱して幅のある可動隙間風防止片に取り替えることで、扉及び柱など変形してその上下左右の差による隙間が大きくなったもの、特に木製の扉と柱の関係において、古くなると大きく変形（一例として、開き戸及び引き戸が開閉できる状態での隙間では、上部で一ミリ以下と下部で１２ミリの隙間が確認された。）した物でも対応でき、具体的に膨出部の径を６ミリとし、また貼着体の幅を１５ミリとして貼着体の先端からガイド溝の位置までを約半分の７ミリとしてその７ミリを切り取るとすると、その７ミリと膨出部の径の６ミリを足した寸法１３ミリが、変形する隙間を覆う量として確保でき、またその覆う量を多く取ることで、隙間に指を入れにくくなり小さな子供の指詰め、また不用意の指詰め防止となり、また貼着体の貼着位置を前側にずらし、より多くの隙間を覆うようにずらして使用することもできる。
【００１７】
加えて、好みにより可動隙間風防止片を木目調など、部屋の模様替えに合わせて、貼着体を剥ぎ取ることなく容易に変更でき、よりデザイン性を追求できる。
よって、これらのことから本発明は、実用上著大な効果を奏する。
【発明を実施するための最良の形態】
【００１８】
既設の扉、窓、襖などの開き戸及び引き戸などの各枠の上下左右にできる隙間及びシャッターの接地面との隙間で、それら場所及び隙間の量に合わせて貼着場所を選択して隙間風防止具を貼着することで、隙間の生じる場所に関係なく、本発明単体で対応でき、またデザイン性も追求できる隙間風防止具を実現させた。
【実施例】
【００１９】
本発明の実施例を図面に基づいて説明すると、図１において、１は隙間風防止具で、該隙間風防止具１は、長手方向に連続する可動隙間風防止片２及び貼着体３を有し、該可動隙間風防止片２は弾発変形部材で形成され、貼着体３は下面側に両面テープなどの粘着体４を設けている。
【００２０】
そこで、その可動隙間風防止片２は、その先端側にチューブ状の膨出部５を貼着体３の先端より突出する位置に設け、その基端側を該貼着体３の基端側と連結一体とし、上述膨出部５からその基端側の間を波状の緩衝壁部６を貼着体３に対して若干鋭角となるように形成している。
【００２１】
また、該貼着体３は、長板状で切り取りのガイドとなるＶ溝部７を所定位置（図１では先端から略１／３程度の位置）に長手方向に連続して形成し、該Ｖ溝部７は、使用場所に合わせて貼着体３の幅を狭くするためのもので、さらに図２に示す他の実施例では、該Ｖ溝部７、７ａの二カ所、先端から略１／３と、略中央部近傍とに形成している。
【００２２】
しかして、図３に示す開き戸８（ドアなど）のドアノブ９側の縦框１０の隙間１１に使用する場合、隙間風防止具１の貼着体３の先端と縦框１０先端を合わせると共に膨出部５を柱１２に当接させ、その状態で縦框１０に沿って粘着体４で貼着体３を貼着することで、該隙間１１を膨出部５と可動隙間風防止片２で塞ぎ、可動隙間風防止片２の緩衝壁部６で弾発付勢してその状態を保持している。
【００２３】
また、図４に示す同様の開き戸８であって隙間１１ａが多い場合、図１又は図２の貼着体３のＶ溝部７から貼着体３先端部を切り取り、上述と同様、貼着体３の先端と縦框１０先端を合わせて該縦框１０に沿って粘着体４にて貼着して、多い隙間１１ａを塞ぎ、緩衝壁部６で弾発付勢してその状態を保持して使用する。
【００２４】
なお、上述使用例は、隙間風防止具１を開き戸８側に貼着しているが、戸当たり１３に貼着、つまり開き戸８と直交する戸当たり１３側に貼着する場合と、隙間１１が小さく、上下に隙間の差が少ないときは、開き戸８の並びの外側に位置する柱１２側に貼着することでも同じように隙間１１を塞ぐことができる。
【００２５】
さらに、図５に示す開き戸８のヒンジ部側縦框１４の隙間１１に使用する場合、開き戸８を閉めたとき、隙間風防止具１の膨出部５が柱１２に当接する位置に隙間風防止具１の貼着体３により貼着し、また図示のように隙間風防止具１の膨出部５を当接側にずらして大きく角度を持って塞ぐようにすると、開き戸８を閉めるときに隙間風防止具１及び膨出部５に余裕が生まれ、その隙間の中まで指を入れにくくなるので、小さい子供の指詰め、また不用意の指詰め防止にも有効となる。
なお、上述実施例のように、開き戸８側でなく柱１２側に使用しても同じように隙間１１を塞ぐことができる。
【００２６】
加えて、図６に示す開き戸８の上桟１５側の隙間１１に使用する場合、入り口上部梁１６の下面側で開き戸８を閉めたとき、隙間風防止具１の膨出部５が開き戸８に当接する位置に貼着体３により隙間風防止具１を貼着して使用する。
なお、上述実施例のように、入り口上部梁１６側でなく開き戸８側の内外どちら側にも使用でき、そして入り口上部梁１６の外側垂直面側に使用しても同じように隙間１１を塞ぐことができる。
【００２７】
さらに加えて、図７に示す開き戸８の下桟１７側の隙間１１に使用する場合、開き戸８を閉めた状態で、隙間風防止具１の膨出部５が入り口土間１８（室内ドアの床側）に当接する位置に貼着体３により隙間風防止具１を貼着する。
【００２８】
なお、図７の実施例は、開き戸８の外側に貼着する例を示し、この場合、雨の吹き降りに対する雨水の浸入を防ぐ効果もあり例示した物であるが、吹き降りに対応する必要のない場合、若しくは室内の場合は、開き戸８のどちら側に使用しても同じように隙間１１を塞ぐことができ、また寒冷地の場合は、内外両方に使用することで、より効果的な隙間風防止として使用できる。  
【００２９】
そして、図８に示すように上述各実施例で示したように、開き戸８（ドア）の外側から上下左右の隙間１１，１１ａの全面を塞いだ状態を示し、これに対して、柱１２側、入り口上部梁１６側に使用した場合とは若干異なる。
【００３０】
しかして、図９に示す引き戸１９の戸当たり２０側の隙間１１に使用する場合、引き戸１９を引き手２１により閉めたとき、隙間風防止具１の膨出部５が柱１２の戸当たり２０に当接するように引き戸１９の最適位置で上桟から下桟まで貼着する。
なお、上述実施例のように、引き戸１９側でなく柱１２側に使用しても同じように隙間１１を塞ぐことができる。
【００３１】
また、図１０に示す障子２２（引き戸１９）の上桟側に隙間風防止具１を使用する場合において、鴨居２３の下面側２４に隙間風防止具１の膨出部５が障子２２の上桟１５ａに当接する位置で貼着体３により隙間風防止具１を貼着することで、隙間１１を塞ぐことができる。
【００３２】
そして、鴨居２３の下面側２４に貼着できない内側では、図示するように、鴨居２３の側面側２５と障子２２の上桟１５ａが同一面上となる側面側２５に貼着する、つまり隙間風防止具１の膨出部５が隙間１１を越えて障子２２の上桟１５ａに当接する位置に、貼着体３により隙間風防止具１を貼着することで、隙間１１を塞ぐことができる。
なお、障子２２の下側では、敷居と常に接し、摺動しているので隙間風防止具１を使用する必要ないが、隙間風がある場合は、障子２２側の下桟に上述と同様、隙間風防止具１を貼着することで防げる。
【００３３】
さらに、図１１に示す引き戸１９、１９の縦框２６、２６間のすれ違う隙間１１に使用する場合において、縦框２６、２６の摺動方向前面の端面側に隙間風防止具１の貼着体３で貼着すると共に対面する側の縦框２６との隙間１１を膨出部５と可動隙間風防止片２で塞ぐように貼着する。
【００３４】
しかして、シャッター２７の先端部２８と入り口土間１８との間の隙間１１に使用する場合において、図１２は、シャッター２７の先端部２８の下面より外側に隙間風防止具１の膨出部５を突出させて貼着する場合と、先端部２８の下面より膨出部５を内側方向に貼着する場合の二例を示し、まず、先端部２８の下面より外側に膨出部５を突出させて貼着する場合は、シャッター２７の室内側で入り口土間１８との間の隙間１１が比較的小さい場合に適し、それに対し、先端部２８の下面より膨出部５を内側方向に貼着する場合は、シャッター２７の室外側で、入り口土間１８の隙間１１が比較的大きい場合に適している。
【００３５】
なお、室内側及び室外側で使用する例示は、各隙間１１の程度及び室内側、室外側に適した条件で貼着場所、位置、膨出部５の突出量、向き、また一カ所若しくは内外二カ所等、適宜変更して使用し、隙間風と雨の吹き降りによる雨水の浸入を防ぐように使用し、このように上述各実施例から、あらゆる状況に対応して使用でき、また最良の場所を選べることで、各隙間の状態又は室内のデザイン性も考慮できる隙間風防止具として使用できる。
【００３６】
しかして、図１３に示す隙間風防止具１のその他の実施例において、可動隙間風防止片２aと貼着体３aを着脱可能に連結する隙間風防止具１ａを示し、可動隙間風防止片２ａ側に凹状係止部２９と貼着体３a側に凸状係止部３０をそれぞれ形成している。
【００３７】
そこで、図１３に示す凹状係止部２９と凸状係止部３０において、可動隙間風防止片２a側の凹状係止部２９は、先端に鉤状の掛止部３１とそれに続く凹部３２を形成し、貼着体３a側の凸状係止部３０は、先端下部に段付き状の掛止部３３と上部に膨出状突起の膨出凸部３４をそれぞれ形成して隙間風防止具１ａとしている。
【００３８】
しかして、隙間風防止具１ａの可動隙間風防止片２aと貼着体３aの連結において、まず、隙間風防止具１ａの凹部３２に、貼着体３aの凸状係止部３０を挿入嵌合させると共に貼着体３aの掛止部３３に、隙間風防止具１ａの掛止部３１を掛止させて連結する。
【００３９】
そこで、隙間風防止具１ａの使用において、上述隙間風防止具１の各実施例と略同様に使用し、新たな使用例として、上述図１０のそれぞれの実施例の引き戸１９に使用した場合、使用によって可動隙間風防止片２aの膨出部５がすり減り、隙間１１，１１ａを塞ぐ効果が薄れたとき、貼着体３aから全体を剥がすことなく、凸状係止部３０から可動隙間風防止片２aを外し、新しい物と入れ替え使用する。
【００４０】
また、開き戸８及び引き戸１９など経年変化で各実施例の隙間１１，１１ａが大きくなり隙間を塞ぐ効果が薄れたとき、貼着体３aから全体を剥がすことなく、凸状係止部３０から可動隙間風防止片２aを外し、隙間に対応した新しい物と入れ替え使用する。
【００４１】
さらに、使用する部屋の模様替えに合わせて、ドア、障子、襖などに使用している隙間風防止具１ａの可動隙間風防止片２aを適したデザインに入れ替え、つまり、隙間風防止具１ａの可動隙間風防止片２aに予めデザインされた物、透明、着色、木目模様など貼着体３aから全体を剥がすことなく、適宜、凸状係止部３０から可動隙間風防止片２aを外し、新しいデザインの物と入れ替え使用する。
【００４２】
なお、可動隙間風防止片２，２aの膨出部５をチューブ状としているが、チューブ状にこだわらず、中空でなく中が詰まった物でも使用でき、なお中が詰まった物は、対摩耗性、戸当たり時の対強度性など考慮する物用として使用しても良いが、図示は省略した。
【００４３】
また、可動隙間風防止片２，２aを波状としているが、鋭角の傾斜形状を維持できる強度で弾発変形する物であれば、特に波状には拘らず、またその可動隙間風防止片２，２aの両端の開放部分に柔らかいスポンジ状の端末キャップを嵌合させ、隙間ができないようにしても良いが、図示は省略した。
【図面の簡単な説明】
【００４４】
【図１】本発明の一実施例の斜視図である。
【図２】本発明の他の実施例の側面図である
【図３】本発明の一実施例の開き戸８に使用する状態を示す要部の平面図である。
【図４】本発明の一実施例の開き戸８に使用する状態を示す要部の平面図である。
【図５】本発明の一実施例の開き戸８のヒンジ部に使用する状態を示す要部の平面図である。
【図６】本発明の一実施例の開き戸８上部に使用する状態を示す要部の側面図である。
【図７】本発明の一実施例の開き戸８下部に使用する状態を示す要部の側面図である。
【図８】本発明の一実施例の引き戸戸当たり部に使用する状態を示す要部の平面図である。
【図９】本発明の一実施例の引き戸の上部に使用する状態を示す要部の側面図である。
【図１０】本発明の一実施例の引き戸の重なり部に使用する状態を示す要部の平面図である
【図１１】本発明の一実施例の開き戸に使用する状態を示す正面図である。
【図１２】本発明の一実施例のシャッターに使用する状態を示す要部の側面図である。
【図１３】本発明のその他の実施例の側面図である。
【符号の説明】
【００４５】
１，１ａ  隙間風防止具
２，２a  可動隙間風防止片
３，３a  貼着体
４  粘着体
５  膨出部
６  緩衝壁部
７  Ｖ溝部
２９  凹状係止部
３０  凸状係止部